(57)【要約】【課題】操作釦の頂部の照明を均一に行うことができる操作釦装置を提供すること。【解決手段】貫通孔１１１が形成された保持部１１２を有する枠体１１０と、枠体１１０の貫通孔１１１に挿入された側部１２１と側部１２１の一端１２１ａに接続された頂部１２４と側部１２１の内周面１２２ａ、内周面１２２ｂから突出する突出部１３１、突出部１３２とを有し枠体１１０の保持部１１２に移動可能に保持された操作釦１２０と、操作釦１２０の頂部１２４に光を照射する光源１４０とを備え、操作釦１２０の側部１２１の内周面１２２ａ、内周面１２２ｂからの第１の端部１３１ａ、第１の端部１３２ａの突出長さが、操作釦１２０の側部１２１の内周面１２２ａ、内周面１２２ｂからの第２の端部１３１ｂ、第２の端部１３２ｂの突出長さよりも短くなるように構成する。【選択図】　　　図１
2004063416.tif 000002
【特許請求の範囲】
【請求項１】
貫通孔が形成された保持部を有する枠体と、
前記貫通孔に挿入された側部と前記側部の一端に接続された頂部と前記側部の内周面から突出する突出部とを有し前記保持部に移動可能に保持された操作釦と、
前記側部の他端側に配設され前記頂部に光を照射する光源とを備え、
前記突出部は、前記側部の一端側に位置する第１の端部と、前記側部の他端側に位置する第２の端部とを有し、前記側部の内周面からの前記第１の端部の突出長さが、前記側部の内周面からの前記第２の端部の突出長さよりも短くなるように設けられたことを特徴とする操作釦装置。
【請求項２】
前記突出部および前記突出部が設けられた前記側部に、前記側部の他端側に配設されたスイッチに当接する当接部を構成することを特徴とする請求項１に記載の操作釦装置。
【請求項３】
前記側部は、前記側部の内周面を形成する複数の平板部と、前記平板部が接合される角部とを有し、前記当接部は、前記側部の前記平板部に配置されたことを特徴とする請求項２に記載の操作釦装置。
【請求項４】
前記当接部は、前記側部の他端から突出することを特徴とする請求項２または請求項３に記載の操作釦装置。
【請求項５】
前記頂部は、前記側部の内周面に囲まれた照明範囲を有し、前記照明範囲に文字が形成されたことを特徴とする請求項１から請求項４までの何れかに記載の操作釦装置。
【請求項６】
前記光源は、前記側部の内周面内範囲に配置されたことを特徴とする請求項１から請求項５までの何れかに記載の操作釦装置。
【請求項７】
請求項１から請求項６までの何れかに記載の操作釦装置を備えたことを特徴とする電子機器。
【発明の詳細な説明】
【０００１】
【発明の属する技術分野】
本発明は、操作釦の照明を行う操作釦装置および操作釦装置を備えた電子機器に関するものである。
【０００２】
【従来の技術】
従来から、この種の操作釦装置は、ＤＶＤ（Ｄｉｇｉｔａｌ　Ｖｅｒｓａｔｉｌｅ　Ｄｉｓｃ）プレーヤ、ＣＤ（Ｃｏｍｐａｃｔ　Ｄｉｓｃ）プレーヤ、カセットテーププレーヤ、ラジオ受信機などが組み込まれた電子機器を操作する操作釦装置として普及している。
【０００３】
このような従来の操作釦装置３００は、図４および図５に示すように、貫通孔３１１が形成された保持部３１２を有する枠体３１０と、枠体３１０の保持部３１２に移動可能に保持された操作釦３２０とを備えている。操作釦３２０は、枠体３１０の貫通孔３１１に挿入された側部３２１と、側部３２１の一端３２１ａに接続された頂部３２４と、側部３２１の内周面３２２ａ、内周面３２２ｂから突出する２つの突出部３３１、突出部３３２とを有している。操作釦３２０の頂部３２４は、操作釦３２０の側部３２１の内周面３２２ａ、内周面３２２ｂ、内周面３２２ｃ、内周面３２２ｄに囲まれた照明範囲３２５を有しており、この照明範囲３２５には文字３２６が形成されている。
【０００４】
また、従来の操作釦装置３００は、操作釦３２０の側部３２１の他端３２１ｂ側に配設された回路基板３４５を備えており、この回路基板３４５上には、操作釦３２０の頂部３２４に光を照射する光源３４０および光源３４０の周囲に配置された２つのスイッチ３４１、スイッチ３４２が設けられている。
【０００５】
操作釦３２０の突出部３３１は、操作釦３２０の頂部３２４に接続された第１の端部３３１ａと、スイッチ３４１に当接する第２の端部３３１ｂとを有しており、操作釦３２０の側部３２１の内周面３２２ａからの第１の端部３３１ａの突出長さが、操作釦３２０の側部３２１の内周面３２２ａからの第２の端部３３１ｂの突出長さに等しくなるように設けられている。
【０００６】
また、操作釦３２０の突出部３３２は、操作釦３２０の頂部３２４に接続された第１の端部３３２ａと、スイッチ３４２に当接する第２の端部３３２ｂとを有しており、操作釦３２０の側部３２１の内周面３２２ｂからの第１の端部３３２ａの突出長さが、操作釦３２０の側部３２１の内周面３２２ｂからの第２の端部３３２ｂの突出長さに等しくなるように設けられている。
【０００７】
【発明が解決しようとする課題】
しかしながら、上記従来の操作釦装置においては、操作釦３２０の突出部３３１、突出部３３２の第１の端部３３１ａ、第１の端部３３２ａが操作釦３２０の頂部３２４の照明範囲３２５に接続されているため、操作釦３２０の突出部３３１、突出部３３２の第１の端部３３１ａ、第１の端部３３２ａの影によって操作釦３２０の頂部３２４の照明範囲３２５に照明ムラが生じ、操作釦３２０の頂部３２４の照明範囲３２５に形成できる文字３２６の位置および寸法が制限されてしまうという問題があった。
【０００８】
そこで、本発明は、このような問題を解決するため、操作釦の頂部の照明を均一に行うことができる操作釦装置を提供することを目的とする。
【０００９】
【課題を解決するための手段】
上記の課題を解決するために、本発明の操作釦装置は、貫通孔が形成された保持部を有する枠体と、前記貫通孔に挿入された側部と前記側部の一端に接続された頂部と前記側部の内周面から突出する突出部とを有し前記保持部に移動可能に保持された操作釦と、前記側部の他端側に配設され前記頂部に光を照射する光源とを備え、前記突出部は、前記側部の一端側に位置する第１の端部と、前記側部の他端側に位置する第２の端部とを有し、前記側部の内周面からの前記第１の端部の突出長さが、前記側部の内周面からの前記第２の端部の突出長さよりも短くなるように設けられた構成を有している。
【００１０】
この構成により、本発明の操作釦装置は、操作釦の突出部が操作釦の頂部の照明に干渉しないので、操作釦の頂部の照明を均一に行うことができる。また、操作釦の突出部の配置の自由度を高くすることができる。
【００１１】
また、本発明の操作釦装置は、前記突出部および前記突出部が設けられた前記側部に、前記側部の他端側に配設されたスイッチに当接する当接部を構成する構成を有している。
【００１２】
この構成により、本発明の操作釦装置は、操作釦の当接部がスイッチに面で当接するので、スイッチを確実に作動させることができる。
【００１３】
また、本発明の操作釦装置は、前記側部は、前記側部の内周面を形成する複数の平板部と、前記平板部が接合される角部とを有し、前記当接部は、前記側部の前記平板部に配置された構成を有している。
【００１４】
この構成により、本発明の操作釦装置は、操作釦の当接部がスイッチに対して平行に当接するので、スイッチを確実に作動させることができる。
【００１５】
また、本発明の操作釦装置は、前記当接部は、前記側部の他端から突出する構成を有している。
【００１６】
この構成により、本発明の操作釦装置は、操作釦の当接部の周辺部分がスイッチに当接することを防止できるので、スイッチを確実に作動させることができる。
【００１７】
また、本発明の操作釦装置は、前記頂部は、前記側部の内周面に囲まれた照明範囲を有し、前記照明範囲に文字が形成された構成を有している。
【００１８】
この構成により、本発明の操作釦装置は、操作釦の突出部の第１の端部を操作釦の頂部の照明範囲から離隔させることができるので、操作釦の頂部の照明範囲に形成できる文字の位置および寸法の自由度を高くすることができる。
【００１９】
また、本発明の操作釦装置は、前記光源は、前記側部の内周面内範囲に配置された構成を有している。
【００２０】
この構成により、本発明の操作釦装置は、光源の光を操作釦の頂部の中央に照射することができるので、操作釦の頂部の照明を均一に行うことができる。
【００２１】
また、本発明の電子機器は、操作釦装置を備えた構成を有している。
【００２２】
この構成により、本発明の電子機器は、操作釦の突出部が操作釦の頂部の照明に干渉しないので、操作釦の頂部の照明を均一に行うことができる。また、操作釦の突出部の配置の自由度を高くすることができる。
【００２３】
【発明の実施の形態】
以下、本発明の一実施の形態について、図面を用いて説明する。
【００２４】
図１から図３は、本実施の形態に係る操作釦装置および電子機器を示す図である。
【００２５】
図３において、電子機器２００は、ＤＶＤプレーヤ、ＣＤプレーヤ、カセットテーププレーヤ、ラジオ受信機などが組み込まれたものであり、この電子機器２００の前面には、電子機器２００の各種機能を操作する操作釦装置１００が設けられている。操作釦装置１００は、電子機器２００の筐体に取り付けられた枠体１１０と、文字、記号などが形成された複数の操作釦１２０とを備えている。以下、１つの操作釦１２０とその周辺の部材に注目して操作釦装置１００の構成を説明する。
【００２６】
図１および図２において、枠体１１０は、貫通孔１１１が形成された保持部１１２を有している。操作釦１２０は、枠体１１０の貫通孔１１１に挿入された側部１２１と、側部１２１の一端１２１ａに接続された頂部１２４と、側部１２１の内周面１２２ａ、内周面１２２ｂから突出する２つの突出部１３１、突出部１３２とを有しており、枠体１１０の保持部１１２に移動可能に保持されている。
【００２７】
操作釦１２０の側部１２１は、内周面１２２ａ、内周面１２２ｂ、内周面１２２ｃ、内周面１２２ｄを形成する平板部１３５ａ、平板部１３５ｂ、平板部１３５ｃ、平板部１３５ｄと、平板部１３５ａ、平板部１３５ｂ、平板部１３５ｃ、平板部１３５ｄが接合される角部１３６ａ、角部１３６ｂ、角部１３６ｃ、角部１３６ｄとを有している。
【００２８】
操作釦１２０の突出部１３１、突出部１３２は、操作釦１２０の中心軸に対して両側に配置されており、操作釦１２０の突出部１３１は、操作釦１２０の側部１２１の内周面１２２ａに直行する方向に突出している。また、操作釦１２０の突出部１３２は、操作釦１２０の側部１２１の内周面１２２ｂに直行する方向に突出している。
【００２９】
また、操作釦装置１００は、操作釦１２０の側部１２１の他端１２１ｂ側に配設された回路基板１４５を備えている。回路基板１４５上には、操作釦１２０の側部１２１の内周面内範囲に配置された光源１４０および光源１４０の周囲に配置された２つのスイッチ１４１、スイッチ１４２が設けられている。光源１４０およびスイッチ１４１、スイッチ１４２は、回路基板１４５に電気的に接続されている。
【００３０】
操作釦１２０の頂部１２４は、図２に示すように、操作釦１２０の側部１２１の内周面１２２ａ、内周面１２２ｂ、内周面１２２ｃ、内周面１２２ｄに囲まれた照明範囲１２５を有しており、この照明範囲１２５には、文字１２６が形成されている。光源１４０は、操作釦１２０の頂部１２４に光を照射することにより、操作釦１２０の頂部１２４の照明範囲１２５の照明を行うようになっている。
【００３１】
操作釦１２０の突出部１３１は、図１に示すように、操作釦１２０の側部１２１の一端１２１ａ側に位置する第１の端部１３１ａと、操作釦１２０の側部１２１の他端１２１ｂ側に位置する第２の端部１３１ｂとを有しており、操作釦１２０の側部１２１の内周面１２２ａからの第１の端部１３１ａの突出長さが、操作釦１２０の側部１２１の内周面１２２ａからの第２の端部１３１ｂの突出長さよりも短くなるように設けられている。
【００３２】
操作釦１２０の突出部１３１は、第２の端部１３１ｂから第１の端部１３１ａに向かって突出長さが徐々に短くなったテーパ形状であり、第１の端部１３１ａは、操作釦１２０の頂部１２４に達する手前で操作釦１２０の側部１２１の内周面１２２ａに一致するようになっている。
【００３３】
操作釦１２０の突出部１３１および突出部１３１が設けられた側部１２１には、スイッチ１４１に当接する当接部１２７が構成されており、この当接部１２７は、操作釦１２０の側部１２１の平板部１３５ａに配置され、操作釦１２０の側部１２１の他端１２１ｂからスイッチ１４１に向けて突出するようになっている。操作釦１２０の当接部１２７は、Ｔ字形状の端面１２７ａを有しており、この端面１２７ａが、スイッチ１４１に当接するようになっている。
【００３４】
また、操作釦１２０の突出部１３２は、操作釦１２０の側部１２１の一端１２１ａ側に位置する第１の端部１３２ａと、操作釦１２０の側部１２１の他端１２１ｂ側に位置する第２の端部１３２ｂとを有しており、操作釦１２０の側部１２１の内周面１２２ｂからの第１の端部１３２ａの突出長さが、操作釦１２０の側部１２１の内周面１２２ｂからの第２の端部１３２ｂの突出長さよりも短くなるように設けられている。
【００３５】
操作釦１２０の突出部１３２は、第２の端部１３２ｂから第１の端部１３２ａに向かって突出長さが徐々に短くなったテーパ形状であり、第１の端部１３２ａは、操作釦１２０の頂部１２４に達する手前で操作釦１２０の側部１２１の内周面１２２ｂに一致するようになっている。
【００３６】
操作釦１２０の突出部１３２および突出部１３２が設けられた側部１２１には、スイッチ１４２に当接する当接部１２８が構成されており、この当接部１２８は、操作釦１２０の側部１２１の平板部１３５ｂに配置され、操作釦１２０の側部１２１の他端１２１ｂからスイッチ１４２に向けて突出するようになっている。操作釦１２０の当接部１２８は、Ｔ字形状の端面１２８ａを有しており、この端面１２８ａが、スイッチ１４２に当接するようになっている。
【００３７】
操作釦１２０は、操作釦１２０の当接部１２７、当接部１２８がスイッチ１４１、スイッチ１４２を解放操作する第１の位置と操作釦１２０の当接部１２７、当接部１２８がスイッチ１４１、スイッチ１４２を押圧操作する第２の位置とに操作釦１２０の中心軸に沿って移動するようになっている。
【００３８】
スイッチ１４１、スイッチ１４２は、操作釦１２０の当接部１２７、当接部１２８による解放操作および押圧操作によって所定のストロークだけ作動し、スイッチ１４１、スイッチ１４２に設けられた接点を開閉するようになっている。また、スイッチ１４１、スイッチ１４２は、操作釦１２０の当接部１２７、当接部１２８による解放操作および押圧操作によって弾性変形するように設けられており、この弾性変形の復元力によって操作釦１２０を第１の位置に付勢するようになっている。
【００３９】
以上説明したように、本実施の形態では、第１の端部１３１ａ、第１の端部１３２ａの突出長さが第２の端部１３１ｂ、第２の端部１３２ｂの突出長さよりも短くなっており、操作釦１２０の突出部１３１、突出部１３２が操作釦１２０の頂部１２４の照明に干渉しないので、操作釦１２０の頂部１２４の照明を均一に行うことができる。また、突出部１３１、突出部１３２の配置の自由度を高くすることができる。
【００４０】
また、本実施の形態では、操作釦１２０の当接部１２７、当接部１２８がＴ字形状の端面１２７ａ、端面１２８ａを有しており、操作釦１２０の当接部１２７、当接部１２８がスイッチ１４１、スイッチ１４２に面で当接するので、スイッチを確実に作動させることができる。
【００４１】
また、本実施の形態では、操作釦１２０の当接部１２７、当接部１２８が操作釦１２０の側部１２１の平板部１３５ａ、平板部１３５ｂに配置されており、操作釦１２０の当接部１２７、当接部１２８がスイッチ１４１、スイッチ１４２に対して平行に当接するので、スイッチを確実に作動させることができる。
【００４２】
また、本実施の形態では、操作釦１２０の当接部１２７、当接部１２８が操作釦１２０の側部１２１の他端１２１ｂから突出しており、操作釦１２０の当接部１２７、当接部１２８の周辺部分がスイッチ１４１、スイッチ１４２に当接することを防止できるので、スイッチ１４１、スイッチ１４２を確実に作動させることができる。
【００４３】
また、本実施の形態では、操作釦１２０の突出部１３１、突出部１３２がテーパ形状であり、操作釦１２０の突出部１３１、突出部１３２の第１の端部１３１ａ、第１の端部１３２ａを操作釦１２０の頂部１２４の照明範囲１２５から離隔させることができるので、操作釦１２０の頂部１２４の照明範囲１２５に形成できる文字１２６の位置および寸法の自由度を高くすることができる。
【００４４】
また、本実施の形態では、光源１４０が操作釦１２０の側部１２１の内周面内範囲に配置されており、光源１４０の光を操作釦１２０の頂部１２４の中央に照射することができるので、操作釦１２０の頂部１２４の照明を均一に行うことができる。
【００４５】
なお、本実施の形態において、操作釦１２０の突出部１３１、突出部１３２は、第２の端部１３１ｂ、第２の端部１３２ｂから第１の端部１３１ａ、第１の端部１３２ａに向かって突出長さが徐々に短くなるテーパ形状であったが、本発明によれば、第１の端部１３１ａ、第１の端部１３２ａの突出長さが第２の端部１３１ｂ、第２の端部１３２ｂの突出長さよりも短いものであればよく、第２の端部１３１ｂ、第２の端部１３２ｂから第１の端部１３１ａ、第１の端部１３２ａに向かって突出長さが不連続に短くなる段形状に構成してもよい。
【００４６】
また、本実施の形態において、操作釦１２０の当接部１２７、当接部１２８の端面１２７ａ、端面１２８ａは、Ｔ字形状であったが、本発明によれば、スイッチ１４１、スイッチ１４２に面で当接するものであればよく、円形状、四角形状などに構成してもよい。
【００４７】
【発明の効果】
以上説明したように、本発明によれば、操作釦の頂部の照明を均一に行うことができる操作釦装置を提供することができる。
【図面の簡単な説明】
【図１】本発明の一実施の形態に係る操作釦装置の要部断面図（図２のＡ−Ａ矢視断面図）
【図２】本発明の一実施の形態に係る操作釦装置の要部正面図
【図３】本発明の一実施の形態に係る操作釦装置および電子機器の正面図
【図４】従来の操作釦装置の要部断面図（図５のＢ−Ｂ矢視断面図）
【図５】従来の操作釦装置の要部正面図
【符号の説明】
１００　操作釦装置
１１０　枠体
１１１　貫通孔
１１２　保持部
１２０　操作釦
１２１　側部
１２１ａ　一端
１２１ｂ　他端
１２２ａ、１２２ｂ、１２２ｃ、１２２ｄ　内周面
１２４　頂部
１２５　照明範囲
１２６　文字
１２７、１２８　当接部
１２７ａ、１２８ａ　端面
１３１、１３２　突出部
１３１ａ、１３２ａ　第１の端部
１３１ｂ、１３２ｂ　第２の端部
１３５ａ、１３５ｂ、１３５ｃ、１３５ｄ　平板部
１３６ａ、１３６ｂ、１３６ｃ、１３６ｄ　角部
１４０　光源
１４１、１４２　スイッチ
１４５　回路基板
２００　電子機器
【図１】
2004063416.tif 000003
【図２】
2004063416.tif 000004
【図３】
2004063416.tif 000005
【図４】
2004063416.tif 000006
【図５】
2004063416.tif 000007